(57)【要約】【課題】スピニングリールのベール反転装置において、ベールアームが糸開放姿勢から糸巻き取り姿勢に自動的に戻るのを防止する。【解決手段】ベール反転機構は、第１ロータアーム３１に揺動自在に装着されたトグルばね機構５０と、第１ロータアーム３１に前後移動自在に装着された移動部材５１と、第１ロータアーム３１に着脱可能に装着された規制部材８０とを有している。第１ベール支持部材４０には、径方向に長い長穴である係止溝部４０ａが形成されている。規制部材８０は、規制案内部８０ａと、規制案内部８０ａより内方に向けて凹んで形成された係止凹部８０ｂとを有している。ベールアームが糸開放姿勢に揺動したとき、トグルばね機構５０の係止部５５ａは規制部材８０の係止凹部８０ｂに係止される。【選択図】      図１０
2004313078.tif 000002
【特許請求の範囲】
【請求項１】
ロータに糸巻き取り姿勢と糸開放姿勢とに揺動自在に装着されたベールアームを、前記ロータの回転に連動して前記糸開放姿勢から前記糸巻き取り姿勢に戻すスピニングリールのベール反転装置であって、
前記ロータに設けられ、前記ベールアームの揺動に連動して前記糸巻き取り姿勢に対応する第１位置と前記糸開放姿勢に対応する第２位置とに移動自在に設けられた移動機構と、
前記ベールアームに回動自在に係止され、前記ベールアームを前記糸巻き取り姿勢と前記糸開放姿勢とに振り分けて付勢するトグルばね機構と、
前記ロータが糸巻き取り方向に回転したとき、前記第２位置に移動した前記移動機構に接触して前記移動機構を前記トグルばね機構の死点を超えて前記第１位置に向けて移動させる切り換え部と、
前記ベールアームに形成され、前記移動機構が前記第１位置に移動したとき、前記トグルばね機構の先端が係止され、径方向に長い長穴を有する係止溝部と、
前記ロータに設けられ、前記移動機構が前記第１位置と前記第２位置との間で移動したとき、前記トグルばね機構の先端を径方向内側への移動を規制しながら周方向に案内する規制案内部と、
前記ロータに設けられ、前記移動機構が前記第２位置に移動したとき、前記規制案内部と滑らかに連続して前記規制案内部より径方向内側に凹んで形成され、前記トグルばね機構の先端を係止する係止凹部と、
を備えたスピニングリールのベール反転装置。
【請求項２】
前記規制案内部及び前記係止凹部は、前記ロータと別体で形成されている、請求項１に記載のスピニングリールのベール反転装置。
【請求項３】
前記規制案内部及び前記係止凹部は、前記ロータと一体で形成されている、請求項１に記載のスピニングリールのベール反転装置。
【請求項４】
前記移動機構は、一端が前記ベールアームに回動自在に係止され、前記ベールアームの揺動に連動して前記他端が前後移動する移動部材を有している、請求項１から３のいずれかに記載のスピニングリールのベール反転装置。
【請求項５】
前記移動部材は、一端が前記ベールアームの揺動中心の近傍に向けて揺動軸芯に沿うように屈曲し、他端が前記ロータの回転軸芯に向けて屈曲し、その間が前記ロータの回転軸芯に沿って配置された棒状の部材であり、前記他端が前記ロータに前後移動自在に係止されている、請求項４に記載のスピニングリールのベール反転装置。
【請求項６】
前記トグルばね機構は、前記ベールアームに一端が係止された軸部材と、前記ロータに案内され一端が前記軸部材に他端が前記ロータにそれぞれ係止され前記軸部材を付勢するばね部材とを有している、請求項５に記載のスピニングリールのベール反転装置。
【請求項７】
前記移動機構は、前記ベールアームの揺動中心に近接した位置に一端が回動自在に装着され途中が前記ロータに揺動自在に係止された移動部材と、前記移動部材の他端に係止されかつ前記ロータの回転軸に平行な軸回りに揺動自在に前記ロータの後面に装着され先端が前記切り換え部に接触する戻しレバーとを有している、請求項１から３のいずれかに記載のスピニングリールのベール反転装置。
【請求項８】
前記移動部材は、前記トグルばね機構と兼用されており、
前記トグルばね機構は、前記ベールアームに一端が係止された軸部材と、前記軸部材に設けられた筒状の筒部材と、前記筒部材に設けられ前記軸部材を付勢するばね部材とを有している、請求項７に記載のスピニングリールのベール反転装置。
【請求項９】
前記切り換え部は、前記ロータの糸巻き取り回転方向下流側が上流側より前記リール本体の前面から前記ロータ側に突出した傾斜面を有している、請求項１から８のいずれかに記載のスピニングリールのベール反転装置。
【発明の詳細な説明】
【０００１】
【発明の属する技術分野】
本発明は、スピニングリールのベール反転装置、特に、ベールアームをロータの回転に連動して糸開放姿勢から糸巻き取り姿勢に戻すためのスピニングリールのベール反転装置に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
このようなスピニングリールのロータには、釣り糸をスプールに案内するためのベールアームが設けられている。ベールアームは、釣り糸を巻き取る際に釣り糸をスプール外周に導く糸巻き取り姿勢と、スプールから釣り糸を繰り出す際に邪魔にならないように糸巻き取り姿勢から倒された糸開放姿勢とを取り得る。そして、ロータにベール反転装置が設けられており、このベール反転装置により、ベールアームは糸巻き取り姿勢と糸開放姿勢とに維持されるとともに、ロータの糸巻き取り方向の回転に連動して糸開放姿勢から糸巻き取り姿勢に戻されるようになっている。
【０００４】
従来のベール反転装置は、ベールアームの揺動中心の近傍に先端が係止されロータに装着されたトグルばね機構と、ベールアームの揺動中心の近傍に先端が係止され基端がリール本体に向けて前後移動する移動部材と、移動部材に接触するようにリール本体に設けられた切り換え突起とを有している（たとえば、特許文献１参照）。トグルばね機構は、ベールアームを２つの姿勢に振り分けて付勢し、ベールアームを２つの姿勢で保持する。また、トグルばね機構は、ロータアームに形成された凹部に収納されたコイルばねと、コイルばねにより付勢されるリンク部材とを有している。コイルばねは、スプールの回転軸芯と略平行になるように、ロータアームの凹部に前後方向に延びて配置されている。リンク部材は、コイルばねにより押圧される軸部材と、軸部材の先端に所定範囲揺動自在に装着されたリンクとを有している。このリンクの先端がベールアームの揺動中心の近傍に係止されている。
【０００５】
このような構成のベール反転装置では、糸開放姿勢にベールアームが揺動すると、移動部材が切り換え突起に接触する位置に後退する。このとき、トグルばね機構では、リンクが揺動しつつ死点を超えるまでは軸部材が後退し、死点を超えると軸部材がコイルばねによって付勢されて前進する。そして、ロータが糸巻き取り方向に回転すると、移動部材が切り換え突起に接触して前進する。この前進により、リンクが揺動するとともに軸部材が死点を超えるまで後退する。そして、死点を超えると前進してベールアームを糸巻き取り姿勢に戻す。
【０００６】
このようなスピニングリールでは、キャスティングを行って釣り糸を繰り出すときには、ロータの逆転を禁止した状態で釣り糸を人指し指の腹で引っ掛けた後ベールアームを糸開放姿勢に反転させる。このときには、釣り糸を引っ掛けやすいようにラインローラが釣竿側になるようにロータを回転させる。そして、釣竿を振り下ろしその途中で釣り糸を人指し指から放して仕掛けが着水するのを待つ。仕掛けが着水した後、仕掛けが適当に沈んだところでハンドルを僅かに巻き取り方向に操作してベール反転装置によりベールアームを糸巻き取り姿勢に戻す。
【０００７】
【特許文献１】
特開平１０−４８３９号公報
【０００８】
【発明が解決しようとする課題】
前記従来のベール反転装置では、たとえばキャスティングを大きく行ったとき、キャスティングの勢いでトグルばね機構の軸部材が死点を超えてしまい、ベールアームが糸開放姿勢から糸巻き取り姿勢に自動的に戻ってしまう場合がある。このようにキャスティング時にベールアームが糸巻き取り姿勢に戻ると、釣り糸の放出を妨げてしまうおそれが生じる。
【０００９】
本発明の課題は、スピニングリールのベール反転装置において、ベールアームが糸開放姿勢から糸巻き取り姿勢に自動的に戻るのを防止することにある。
【００１０】
【課題を解決するための手段】
発明１に係るスピニングリールのベール反転装置は、ロータに糸巻き取り姿勢と糸開放姿勢とに揺動自在に装着されたベールアームをロータの回転に連動して糸開放姿勢から糸巻き取り姿勢に戻すスピニングリールのベール反転装置であって、ロータに設けられベールアームの揺動に連動して糸巻き取り姿勢に対応する第１位置と糸開放姿勢に対応する第２位置とに移動自在に設けられた移動機構と、ベールアームに回動自在に係止されベールアームを糸巻き取り姿勢と糸開放姿勢とに振り分けて付勢するトグルばね機構と、ロータが糸巻き取り方向に回転したとき第２位置に移動した移動機構に接触して移動機構をトグルばね機構の死点を超えて第１位置に向けて移動させる切り換え部と、ベールアームに形成され移動機構が第１位置に移動したときトグルばね機構の先端が係止され径方向に長い長穴を有する係止溝部と、ロータに設けられ移動機構が第１位置と第２位置との間で移動したときトグルばね機構の先端を径方向内側への移動を規制しながら周方向に案内する規制案内部と、ロータに設けられ移動機構が第２位置に移動したとき規制案内部と滑らかに連続して規制案内部より径方向内側に凹んで形成されトグルばね機構の先端を係止する係止凹部とを備えている。
【００１１】
このベール反転装置では、移動機構が第２位置に移動したとき、すなわちベールアームが糸開放姿勢に揺動したとき、規制案内部より径方向内側に凹んで形成された係止凹部にトグルばね機構の先端が係止される。このため、キャスティングを大きく行っても、トグルばね機構の先端が係止凹部に係止されているので、ベールアームが糸巻き取り姿勢に揺動しにくくなる。したがって、ベールアームが糸開放姿勢から糸巻き取り姿勢に自動的に戻るのを防止できる。
【００１２】
発明２に係るベール反転装置は、発明１のベール反転装置において、規制案内部及び係止凹部は、ロータと別体で形成されている。この場合、規制案内部及び係止凹部の加工が容易になる。
発明３に係るベール反転装置は、発明１のベール反転装置において、規制案内部及び係止凹部は、ロータと一体で形成されている。この場合、全体の部品点数を減少できるので、製造コストを抑えることができる。
【００１３】
発明４に係るベール反転装置は、発明１から３のいずれかのベール反転装置において、移動機構は、一端が前記ベールアームに回動自在に係止され、ベールアームの揺動に連動して他端が前後移動する移動部材を有している。この場合、移動部材の一端をベールアームに係止し、他端を前後移動自在に係止することにより、ベールアームの揺動運動を移動部材の他端の前後直線運動に簡素な構成で簡単に変換できる。
【００１４】
発明５に係るベール反転装置は、発明４のベール反転装置において、移動部材は、一端がベールアームの揺動中心の近傍に向けて揺動軸芯に沿うように屈曲し、他端がロータの回転軸芯に向けて屈曲し、その間がロータの回転軸芯に沿って配置された棒状の部材であり、他端がロータに前後移動自在に係止されている。この場合、ベールアームが揺動すると、揺動軸芯に沿って屈曲しベールアームに係止された移動部材の一端が揺動軸芯回りに旋回する。これにより、ロータの回転軸芯に向かう移動部材の他端がロータに係止されて前後移動する。ここでは、屈曲して形成された棒状の移動部材の一端をベールアームに係止し、他端を前後移動自在に係止することにより、ベールアームの揺動運動を移動部材の他端の前後直線運動に簡素な構成で確実に変換できる。
【００１５】
発明６に係るベール反転装置は、発明５のベール反転装置において、トグルばね機構は、ベールアームに一端が係止された軸部材と、ロータに案内され一端が軸部材に他端がロータにそれぞれ係止され軸部材を付勢するばね部材とを有している。この場合、ばね部材により、ベールアームを両姿勢に保持できる。
発明７に係るベール反転装置は、発明１から３のいずれかのベール反転装置において、移動機構は、ベールアームの揺動中心に近接した位置に一端が回動自在に装着され途中がロータに揺動自在に係止された移動部材と、移動部材の他端に係止されかつロータの回転軸に平行な軸回りに揺動自在にロータの後面に装着され先端が切り換え部に接触する戻しレバーとを有している。この場合、戻しレバーがロータの回転軸と平行な軸回りに揺動するだけであるので、移動機構をロータにコンパクトに収納できる。
【００１６】
発明８に係るベール反転装置は、発明７のベール反転装置において、移動部材は、トグルばね機構と兼用されている。トグルばね機構は、ベールアームに一端が係止された軸部材と、軸部材に設けられた筒状の筒部材と、筒部材に設けられ軸部材を付勢するばね部材とを有している。この場合、移動部材とトグルばね機構とが兼用されているので、これらの収納スペースを小さく維持できる。
【００１７】
発明９に係るベール反転装置は、発明１から８のいずれかのベール反転装置において、切り換え部は、ロータの糸巻き取り回転方向下流側が上流側よりリール本体の前面からロータ側に突出した傾斜面を有している。この場合、傾斜面を形成することにより、糸開放姿勢でロータが糸繰り出し方向に回転したときに、移動部材が切り換え部に接触しても、傾斜面で切り換え部に滑らかに案内されるので、移動部材が損傷しにくくなる。
【００１８】
【発明の実施の形態】
本発明の一実施形態を採用したスピニングリールは、図１及び図２に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、図１ではハンドル１がリール本体２の左側に装着され、図２ではハンドル１が右側に装着されている。このように、ハンドル１はリール本体２の左右いずれにも装着可能である。
【００１９】
リール本体２は、内部に空間を有するリールボディ２ａと、リールボディ２ａの空間を塞ぐためにリールボディ２ａに着脱自在に装着される蓋部材２ｂ（図１参照）とを有している。
リールボディ２ａは、たとえばアルミニウム合金製であり、上部に前後に延びるＴ字形の竿取付脚２ｃが一体形成されている。図２に示すように、リールボディ２ａの空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａ及び蓋部材２ｂの前端には、円形のフランジ部２ｄと、フランジ部２ｄより小径で先端が開口する円筒部２ｅとが形成されている。円筒部２ｅには、図５に示すように、断面が円の一部が切り欠かれた略Ｄ字状に形成された装着溝２ｆが形成されている。
【００２０】
蓋部材２ｂは、たとえばアルミニウム合金製の部材であり、たとえば３箇所でリールボディ２ａにビス止めされている。フランジ部２ｄにおいて、リールボディ２ａと蓋部材２ｂとの分割部分には、図５及び図６に示すように、後述する切り換え部材５２が着脱自在に装着されている。
ロータ駆動機構５は、図２に示すように、ハンドル１が回転不能に装着されたハンドル軸１０と、ハンドル軸１０とともに回転するメインギア１１と、メインギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。
【００２１】
オシレーティング機構６は、スプール４の中心部にドラグ機構７１を介して連結されたスプール軸１５を前後方向に移動させてスプール４を同方向に移動させるための機構である。
ロータ３は、図２に示すように、ロータ本体１６と、ロータ本体１６の先端に糸開放姿勢と糸巻き取り姿勢とに揺動自在に装着されたベールアーム１７と、ベールアーム１７を糸開放姿勢から糸巻き取り姿勢に戻すためにロータ本体１６に装着されたベール反転機構１８とを有している。
【００２２】
ロータ本体１６は、リールボディ２ａにスプール軸１５回りに回転自在に装着された円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２３】
円筒部３０の前部には前壁３３が形成されており、前壁３３の中央部にはボス部３３ａが形成されている。ボス部３３ａの中心部には貫通孔が形成されており、この貫通孔をピニオンギアの前部１２ａ及びスプール軸１５が貫通している。前壁３３の前部にロータ３の固定用のナット１３が配置されている。円筒部３０の後面は第３カバー部材３０ａにより覆われている。
【００２４】
第１ロータアーム３１及び第２ロータアーム３２は、図２から図４に示すように、円筒部３０の後部外周面にそれぞれ配置された第１接続部３１ａ及び第２接続部３２ａと、第１接続部３１ａ及び第２接続部３２ａからそれぞれ外方に凸に湾曲しつつ前方に延びる第１アーム部３１ｂ及び第２アーム部３２ｂと、第１接続部３１ａ及び第２接続部３２ａと第１アーム部３１ｂ及び第２アーム部３２ｂとの両外方部分をそれぞれ覆う第１カバー部材３１ｃ及び第２カバー部材３２ｃとを有している。第１接続部３１ａ及び第２接続部３２ａは、円筒部３０と周方向に滑らかにそれぞれ連続して形成されている。
【００２５】
第１アーム部３１ｂ及び第２アーム部３２ｂは、第１接続部３１ａ及び第２接続部３２ａと滑らかに連続して形成され円筒部３０と間隔をあけて前方に延びている。また、第１アーム部３１ｂ及び第２アーム部３２ｂは、先端部から円筒部３０との接続部分に向けて滑らかに湾曲している。第１接続部３１ａ及び第２接続部３２ａと第１アーム部３１ｂ及び第２アーム部３２ｂとの両外方部分には、開口３１ｄ、３２ｄがそれぞれ形成されており、第１カバー部材３１ｃ及び第２カバー部材３２ｃは、開口３１ｄ、３２ｄをそれぞれ外周側から塞いでいる。この第１カバー部材３１ｃと第１接続部３１ａ及び第１アーム部３１ｂとの間には、収納空間４８が形成されている。
【００２６】
第１アーム部３１ｂの先端の外周側には、第１ベール支持部材４０が揺動自在に装着されている。第１アーム部３１ｂには、図３及び図４に示すように、ベール反転機構１８の後述する移動部材５１を前後に案内するための細長いガイド溝３６と、ベールアーム１７に抵抗を付与するための規制機構７５（図８参照）が装着される装着穴３７と、第１ベール支持部材４０を揺動自在に装着するためのねじ孔付きのボス部３８とが形成されている。第２アーム部３２ｂの先端内周側には、第２ベール支持部材４２が揺動自在に装着されている。
【００２７】
第１ベール支持部材４０は、第１アーム部３１ｂのボス部３８にねじ込まれた取付ピン３９により第１ロータアーム３１に取り付けられる。この取付ピン３９は引っ掛かりが少ない六角穴付きボルトからなり、取付ピン３９の頭部に釣り糸が引っ掛かりにくくなっている。
第１ベール支持部材４０の先端には、図３に示すように、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端が尖った変形円錐形状である。固定軸カバー４７の先端部と第２ベール支持部材４２との間には線材を略Ｕ字状に湾曲させた形状のベール４３が固定されている。これらの第１ベール支持部材４０及び第２ベール支持部材４２、ラインローラ４１、ベール４３及び固定軸カバー４７により、釣り糸をスプール４に案内するベールアーム１７が構成される。ベールアーム１７は、図３（ａ）及び図１０（ａ）に示す糸巻き取り姿勢と、図３（ｂ）及び図１０（ｂ）に示す糸巻き取り姿勢から反転した糸開放姿勢との間で揺動自在である。
【００２８】
ベール反転機構１８は、第１ロータアーム３１の収納空間４８内に配置されている。このベール反転機構１８は、ベールアーム１７を糸開放姿勢から糸巻き取り姿勢にロータ３の回転に連動して復帰させるとともに、両姿勢でその状態を保持するために設けられている。
ベール反転機構１８は、図３から図６に示すように、収納空間４８内で第１アーム部３１ｂに揺動自在に装着されたトグルばね機構５０と、収納空間４８内に略前後移動自在に装着された移動部材５１と、移動部材５１に接触可能にフランジ部２ｄに着脱自在に装着された切り換え部材５２と、ロータ３を制動するための制動部材６５を有するロータ制動機構５４と、糸開放姿勢にあるベールアーム１７の糸巻き取り姿勢への復帰を規制する規制機構７５と、第１ロータアーム３１に着脱可能に装着された規制部材８０とを有している。
【００２９】
トグルばね機構５０は、図３に示すように、ベールアーム１７が糸巻き取り姿勢となる第１位置と糸開放姿勢となる第２位置とを取り得るように第１ロータアーム３１内に配置され、ベールアーム１７を糸巻き取り姿勢と糸開放姿勢とに保持するための機構である。トグルばね機構５０は、一端が第１ベール支持部材４０に係止され、他端が第１アーム部３１ｂに沿って延びるロッド５５と、ロッド５５を進出側に付勢するコイルばね５７とを有している。
【００３０】
ロッド５５は、図４に示すように、先端に第１ベール支持部材４０の係止溝部４０ａに係止されるように第１ベール支持部材４０に向けて折れ曲がった係止部５５ａを有している。
係止溝部４０ａは、図７、図８及び図１０に示すように、径方向に長い長穴である。係止部５５ａは、移動部材５１が図３（ａ）及び図１０（ａ）に示す第１位置に移動したとき、すなわちベールアーム１７が糸巻き取り姿勢に揺動したとき、係止溝部４０ａの径方向外方側に接触して係止される。また、移動部材５１が図３（ｂ）及び図１０（ｂ）に示す第２位置に移動したとき、すなわちベールアーム１７が糸開放姿勢に揺動したとき、係止溝部４０ａの径方向内方側に接触し、後述する規制部材８０の係止凹部８０ｂに係止される。
【００３１】
規制部材８０は、図１０に拡大して示すように、外径が凹凸状に湾曲して形成された板状部材である。規制部材８０は、外方に向けて凸状に形成された規制案内部８０ａと、規制案内部８０ａと滑らかに連続し内方に向けて凹んで形成された係止凹部８０ｂと、内部に形成され第１ロータアーム３１にねじ固定するためのねじ装着部８０ｃとを有している。規制案内部８０ａは、移動部材５１が図３（ａ）及び図１０（ａ）に示す第１位置と図３（ｂ）及び図１０（ｂ）に示す第２位置との間で移動したとき、トグルばね機構５０の係止部５５ａが径方向内側への移動を規制しながら周方向に案内される。係止凹部８０ｂは、移動部材５１が図３（ｂ）及び図１０（ｂ）に示す第２位置に移動したとき、トグルばね機構５０の係止部５５ａが係止される。
【００３２】
また、ロッド５５は、中間部にコイルばね５７の先端部を係止するための係止突起５５ｂを有し、後端部に僅かに湾曲した湾曲部５５ｃを有している。係止突起５５ｂには、コイルばね５７の先端が当接するワッシャ５６が装着されており、これにより、コイルばね５７の先端部からロッド５５に力が均一に伝達される。ロッド５５は、後方に向かってより径方向内側に位置するように傾斜して配置されている。
【００３３】
コイルばね５７は、第１アーム部３１ｂに装着された、たとえばポリアミド系合成樹脂などの合成樹脂製の案内シート３４に接触して案内される。案内シート３４は、コイルばね５７の一側面を案内するとともに基端部を係止するように折れ曲がった壁面部３４ａを有している。壁面部３４ａは、コイルばね５７の側部及び基端部に接触し得る高さを有している。コイルばね５７は、後方に向かってより径方向内側に位置するように傾斜して配置されている。
【００３４】
コイルばね５７のワッシャ５６に係止される先端部は他の部分より巻径が小さくなっている。これにより先端部以外でコイルばね５７とロッド５５との間で大きな隙間が生じ、コイルばね５７の内部でロッド５５が姿勢を変えてもコイルばね５７が変形しにくくなる。なお、コイルばね５７の基端部内周面に接触するボス部や基端部外周面を覆うカバー部等を設けてコイルばね５７の基端部を係止するようにしてもよい。また、これらのボス部やカバー部を第１ベール支持部材４０の揺動軸と平行な軸回りに揺動するように第１アーム部３１ｂに装着してもよい。たとえば、ボス部の基端面に円弧凸部を形成するとともに第１アーム部３１ｂ内に円弧凸部に係合する円弧凹部を形成し、これによりボス部を揺動自在に構成することが考えられる。
【００３５】
このような構成のトグルばね機構５０は、揺動軸の軸芯であるコイルばね５７と基端の中心位置と第１ベール支持部材４０の揺動軸芯Ｏ（取付ピン３９の軸芯）とを結ぶ線分Ｆに対して、糸巻き取り姿勢と糸開放姿勢とでロッド５５の第１ベール支持部材４０に対する係止位置が異なる方向に位置するように配置されている。この線分Ｆに重なる位置がトグルばね機構５０の死点（コイルばね５７が最も圧縮する位置）である。これにより、トグルばね機構５０は、ベールアーム１７を死点を挟んで両姿勢に振り分けて付勢しかつ両姿勢で保持できる。このトグルばね機構５０の死点は、糸開放姿勢側に偏倚している。
【００３６】
移動部材５１は、たとえば、ステンレス合金などの金属製の線材の両端を９０度異なる方向に折り曲げて形成された部材である。移動部材５１は、第１アーム部３１ｂに略前後移動自在に装着されており、図３（ａ）及び図１０（ａ）に示す第１位置（離反位置）と図３（ｂ）及び図１０（ｂ）に示す第２位置（接触位置）とを取り得る。移動部材５１は、図３から図６に示すように、その先端部５１ａが外周側に折り曲げられ、第１ベール支持部材４０に形成された略扇形の係合凹溝４０ｂに係止されている。中間部５１ｂは、ロッド５５より径方向内側で第１アーム部３１ｂに沿って延びている。
【００３７】
後端部５１ｃは、ガイド溝３６を貫通し、ロータ制動機構５４を構成する制動部材６５の前端面に僅かに重なり合う位置まで内方に延びており、その後端面が僅かに丸みを帯びている。ガイド溝３６の幅は、移動部材５１の直径とほぼ同じ寸法である。このため、移動部材５１の中間部５１ｂの径方向内側は、ベールアーム１７の揺動に連動してガイド溝３６に沿って前後に案内される。
【００３８】
移動部材５１の係合凹溝４０ｂでの係止端は、ベールアーム１７が糸開放姿勢にあるとき、後端部５１ｃとベールアーム１７の揺動中心とを結ぶ線分より糸巻き取り姿勢側に位置している。つまり、移動部材５１は、接触位置（図３（ｂ））にあるときの後端部５１ｃの軸芯と第１ベール支持部材４０の揺動軸芯とを結ぶ線分から同じ方向に第１位置（離反位置）と第２位置（接触位置）とで第１ベール支持部材４０への係止位置が存在するように配置されている。これにより、移動部材５１の後端部５１ｃが切り換え部材５２により押圧されたとき、第１ベール支持部材４０を糸巻き取り姿勢側に復帰させることができる。この第２位置（接触位置）にあるとき、後端部５１ｃの端面は、制動部材６５の前端面より奥側で外周面よりやや内方に食い込んでいる。
【００３９】
切り換え部材５２は、たとえばポリアミド系合成樹脂やポリアセタールなどの合成樹脂製の部材であり、図５及び図６に示すように、リールボディ２ａと蓋部材２ｂとの分割部分でフランジ部２ｄに着脱自在に装着されている。リールボディ２ａと蓋部材２ｂとの分割部分には、矩形の切り欠き５３が形成されている。切り換え部材５２は、２つの傾斜面６０ａ、６０ｂを有する山型のカム部６０と、カム部６０と一体形成されたくびれ部６１と、鍔部６２とを有している。傾斜面６０ａは、図６に矢印で示すロータ３の糸巻き取り回転方向の下流側が上流側によりロータ３に向けて前方に突出する傾斜面である。傾斜面６０ｂは、傾斜面６０ａの突出部分から糸巻き取り回転方向下流側に向けて突出量が減少する傾斜面である。傾斜面６０ａ、６０ｂの最も突出した突出端６０ｃの突出量は、傾斜面６０ａに後端部５１ｃが接触した移動部材５１がベールアーム１７を糸巻き取り姿勢に向けて押圧したときにトグルばね機構５０の死点を超えるように設定されている。
【００４０】
くびれ部６１は、切り欠き５３にはめ込まれる大きさを有しており、フランジ部２ｄの肉厚と略同じ寸法の隙間をカム部６０と鍔部６２との間に形成している。鍔部６２は、くびれ部６１より大きな断面を有しており、フランジ部２ｄの裏面に接触する。この傾斜面６０ｂを設けると、ベールアーム１７が糸開放姿勢にあるとき、無理に逆転（糸繰り出し方向の回転）が加わって移動部材５１が切り換え部材５２に接触しても、ベール反転機構１８の移動部材５１が傾斜面６０ｂで切り換え部材５２に滑らかに案内され、損傷しにくくなる。なお、このような２つの傾斜面６０ａ、６０ｂを有する切り換え部材５２は、リール本体２と一体形成された切り換え部にも適用できる。
【００４１】
このように構成された切り換え部材５２は、リールボディ２ａに蓋部材２ｂを装着するとき、たとえばリールボディ２ａ側の切り欠き５３にくびれ部６１をはめ込み、蓋部材２ｂをリールボディ２ａにビス止めするだけで、リール本体２に固定できる。
ロータ制動機構５４は、糸開放姿勢にベールアーム１７が揺動したときロータ３を制動するものであり、移動部材５１と、円筒部２ｅの基端部側に形成された装着溝２ｆに装着された制動部材６５とを有している。すなわち、移動部材５１は、ベール反転機構１８を構成するとともに、ロータ制動機構５４も構成する。
【００４２】
制動部材６５は、ベールアーム１７が糸開放姿勢にあるとき、ロータ３の回転を制動するために設けられている。制動部材６５は、断面が矩形の、たとえばスチレン‐ブタジエン‐ゴム（ＳＢＲ）、アクリロニトリル‐ブタジエン‐ゴム、ブタジエン‐ゴム、イソプレン‐ゴム、クロロプレン‐ゴム、シリコーン‐ゴム、ウレタン‐ゴム等の合成ゴムからなる弾性体製のリング状の部材である。制動部材６５の外周面には、切り換え部材５２を回避する部分を除いて平坦な円周面で構成された制動面６５ａが形成されている。制動部材６５は、断面が略Ｄ字状の円筒部２ｅの基端外周面に装着されている。したがって、制動部材６５は、正面視略Ｄ字状に装着されている。この制動部材６５の直線部は、切り換え部材５２を迂回するために設けられている。制動部材６５の制動面６５ａの先端端縁には、導入面６５ｂが制動面６５ａと連続して形成されている。導入面６５ｂは、糸開放姿勢への揺動に連動した移動部材５１の移動方向上流側が下流側より遠ざかるように形成されており、本実施形態では、制動面６５ａと連続して丸みを帯びた曲面で形成されている。このように制動面６５ａに連続して傾斜した導入面６５ｂを形成すると、移動部材５１が制動部材６５に接触するとき、移動部材５１の丸みを帯びた後端部５１ｃの端面が制動部材６５の導入面６５ｂを経て制動面６５ａに滑らかに接触する。
【００４３】
規制機構７５は、ベールアーム１７とロータ３の第１アーム部３１ｂとの間の対向部分に設けられ、ベールアーム１７が糸開放姿勢に配置されているとき、ベールアーム１７が糸巻き取り姿勢に戻るのを規制するとともに、ベールアーム１７が糸巻き取り姿勢に揺動するとき、移動部材５１の後端部５１ｃが傾斜面６０ａの突出端６０ｃに到達するまでに規制を解除する機構である。規制機構７５は、図７及び図８に示すように、第１アーム部３１ｂの装着穴３７に装着された規制ピン７６と、規制ピン７６をベールアーム１７側に付勢するコイルばね７７と、第１ベール支持部材４０に設けられた押圧部７８とを有している。
【００４４】
規制ピン７６は、大径の当接部７６ａと小径のばね装着部７６ｂとを有する金属製のピンである。この当接部７６ａとばね装着部７６ｂとの段差部分にコイルばね７７の先端が接触している。コイルばね７７は、ばね装着部７６ｂの外周側に配置されており、規制ピン７６を第１ベール支持部材４０に向けて付勢する。押圧部７８は、２つの傾斜面７８ａ、７８ｂを有し、第１アーム部３１ｂに向けて突出して形成されている。押圧部７８は、糸開放姿勢から糸巻き取り姿勢に揺動するとき、移動部材５１の後端部５１ｃが傾斜面６０ａの突出端６０ｃに到達するまでに規制ピン７６を通過して規制を解除できる位置に配置されている。具体的には、図９（ａ）に示すように、押圧部７８は、糸開放姿勢のとき規制ピン７６より矢印で示す糸巻き取り姿勢への揺動方向の上流側に位置し、図９（ｂ）に示すように、糸巻き取り姿勢への揺動中にトグルばね機構５０が死点に至るまでに規制ピン７６を通過するような位置に配置されている。
【００４５】
このような構成のベール反転機構１８では、トグルばね機構５０は、図３（ａ）及び図１０（ａ）に示すような第１位置と、図３（ｂ）及び図１０（ｂ）に示すような第２位置とを取ることが可能である。第１位置は、ベールアーム１７の糸巻き取り姿勢に対応し、第２位置はベールアーム１７の糸開放姿勢に対応している。また、移動部材５１は、図３（ａ）及び図１０（ａ）に示す第１位置（離反位置）と、図３（ｂ）及び図１０（ｂ）に示す第２位置（接触位置）とに後端部５１ｃがガイド溝３６に案内されて前後移動することができる。この第１位置（離反位置）が糸巻き取り姿勢に対応し、第２位置（接触位置）が糸巻き取り姿勢に対応する。第２位置（接触位置）では、移動部材５１の後端部５１ｃの端面が制動部材６５の前端面より奥側で制動面６５ａが僅かに圧縮されるように接触する。このため、移動部材５１の移動位置、つまり第２位置（接触位置）が軸方向に変動しても制動力は変動しない。
【００４６】
また、第２位置（接触位置）でハンドル１の操作によりロータ３が糸巻き取り方向に回転すると、移動部材５１の後端部５１ｃが切り換え部材５２の傾斜面６０ａに衝突して回転し、移動部材５１は第１位置（離反位置）に向けて前方に押圧され、トグルばね機構５０の死点を超えた時点でベールアーム１７は、糸巻き取り姿勢に復帰する。このとき、規制機構７５の規制ピン７６による規制はトグルばね機構５０の死点を超えるまでに解除されている。
【００４７】
ロータ３の円筒部３０の内部には、図２に示すように、ロータ３の逆転を禁止、解除するための逆転防止機構７０が配置されている。逆転防止機構７０をローラ型のワンウェイクラッチを有しており、ワンウェイクラッチを作用状態と非作用状態とに切り換えることにより、ロータ３の逆転を禁止、解除する。
スプール４は、ロータ３の第１ロータアーム３１と第２ロータアーム３２との間に配置されており、スプール軸１５の先端にドラグ機構７１を介して装着されている。スプール４は、外周に釣り糸が巻かれる糸巻胴部４ａと、糸巻胴部４ａの後部に一体で形成されたスカート部４ｂと、糸巻胴部４ａの前端に一体で形成されたフランジ部４ｃとを有している。
【００４８】
次に、リールの操作及び動作について詳細に説明する。
キャスティング時には逆転防止機構７０によりロータ３を逆転禁止状態にして手でベールアームを持ってベールアーム１７を糸開放姿勢に反転させる。ベールアーム１７を糸開放姿勢に反転させると、第１ベール支持部材４０及び第２ベール支持部材４２は後方側に倒れ、ベール反転機構１８は、図３（ｂ）及び図１０（ｂ）に示すような第２位置に配置される。このとき、規制機構７５では、トグルばね機構５０の死点を超えると押圧部７８が規制ピン７６を通過する。ベールアーム１７が糸開放姿勢に倒れた状態では、スプール４からの釣り糸を容易に繰り出すことが可能である。
【００４９】
この糸巻き取り姿勢から糸開放姿勢への揺動において、トグルばね機構５０では、第１ベール支持部材４０の回転によってロッド５５が図３（ａ）において徐々に退入しつつ反時計方向に揺動し、図３（ｂ）及び図１０（ｂ）に示す第２位置に至る。このとき、死点を超えるまでは退入する。死点を超えると、ロッド５５がコイルばね５７の付勢力により進出してベールアーム１７を糸開放姿勢側に切り換えるとともにその姿勢で保持する。この死点を超えると、規制機構７５の押圧部７８が規制ピン７６を乗り越えてベールアーム１７の糸巻き取り姿勢への揺動を規制するとともに、押圧部７８が規制ピン７６を通過した時点で規制ピン７６が急激に第１ベール支持部材４０に衝突して発音する。
【００５０】
ベールアーム１７が糸開放姿勢に揺動すると、この揺動に伴って移動部材５１は離反位置から接触位置に移動し、移動部材５１の後端部５１ｃの先端は制動部材６５に弾性的に接触する。この結果、ロータ３が制動されその回転位相を保持する。しかし制動部材６５と弾性的に接触して摩擦により制動されているだけであるので、ロータ３を手で回転させたりハンドル１により回転させたりすれば簡単に回転位相を調整できる。すなわち、ロータ３が摩擦力により制動され回転位相が維持されるので、ベールアーム１７を糸開放姿勢にしたときにロータ３が回転することはない。
【００５１】
この状態で釣竿を握る手の人差し指で釣り糸を引っ掛けながら釣竿をキャスティングする。すると釣り糸は仕掛けの重さにより勢いよく放出される。このとき、前述したようにベールアーム１７は、規制機構７５により規制され、糸開放姿勢から糸巻き取り姿勢に戻りにくくなっている。具体的には、図９（ａ）に示すように、規制ピン７６を押圧部７８が乗り越えた位置に配置されているので、押圧部７８に邪魔されて慣性力によりベールアーム１７が揺動中心Ｏを中心に反転しにくくなる。また、トグルばね機構５０の係止部５５ａは、規制部材８０の係止凹部８０ｂに係止されているので、ベールアーム１７が糸開放姿勢から糸巻き取り姿勢に自動的に戻りにくくなっている。
【００５２】
キャスティング後に、ベールアーム１７を糸開放姿勢に維持したままの状態でハンドル１をたとえば左手で糸巻き取り方向に回転させると、ロータ駆動機構５によりロータ３が糸巻き取り方向に回転する。ロータ３が糸巻き取り方向に回転すると、ベールアーム１７がベール反転機構１８により糸巻き取り姿勢に復帰する。
【００５３】
具体的には、図５及び図６において、移動部材５１がロータ３とともに時計方向に回転する。すると、移動部材５１の後端部５１ｃがリール本体２側に固定された切り換え部材５２の傾斜面６０ａに当接する。これにより、移動部材５１が前方に押圧され、図６に２点鎖線で示す第１位置（離反位置）に切り換えられ、第１ベール支持部材４０を糸巻き取り姿勢に揺動させる。これに伴ってトグルばね機構５０のロッド５５が図３（ｂ）及び図１０（ｂ）に示す第２位置から図３（ａ）及び図１０（ａ）に示す第１位置に向けて揺動する。そして、傾斜面６０ａの突出端６０ｃに到達するまでにトグルばね機構５０が死点を超えると、コイルばね５７の付勢力よりロッド５５が進出し、ベールアーム１７を糸巻き取り姿勢に切り換えるとともにその姿勢で保持する。このトグルばね機構５０の死点を超えるまでに規制機構７５による抵抗は解消される。具体的には、図９（ｂ）に示すように、揺動中心Ｏとトグルばね機構５０の後端とを結ぶ直線上にトグルばね機構５０が配置された死点に至る前に、押圧部７８は規制ピン７６を通過して押圧部７８による規制が解除される。このため、トグルばね機構５０の付勢力を強くすることなくベールアーム１７を糸巻き取り姿勢に戻すことができる。ベールアーム１７が糸巻き取り姿勢に復帰すると、第１ベール支持部材４０及び第２ベール支持部材４２は、図１及び図２に示すように、それぞれ前方側に起立している。ベールアーム１７が糸巻き取り姿勢に戻ると、ベールアーム１７により釣り糸がスプール４に案内されてスプール４の外周に巻き付けられる。
【００５４】
このような構成のスピニングリールでは、移動部材５１が図３（ｂ）及び図１０（ｂ）に示す第２位置に移動したとき、すなわちベールアーム１７が糸開放姿勢に揺動したとき、規制案内部８０ａより径方向内側に凹んで形成された係止凹部８０ｂにトグルばね機構５０の係止部５５ａが係止される。このため、キャスティングを大きく行っても、トグルばね機構５０の係止部５５ａが係止凹部８０ｂに係止されているので、ベールアーム１７が糸巻き取り姿勢に揺動しにくくなる。したがって、ベールアーム１７が糸開放姿勢から糸巻き取り姿勢に自動的に戻るのを防止することができる。
【００５５】
〔他の実施形態〕
（ａ）  前記実施形態では、フロントドラグ式のスピニングリールを例にあげて説明したが、本発明は揺動するベールアームを糸巻き取り姿勢に復帰させる、リアドラグ式のスピニングリールやレバーブレーキ式のスピニングリールなどの全ての形式のスピニングリールのベール反転装置に適用できる。
【００５６】
（ｂ）  前記実施形態では、移動部材５１を金属製の線材で構成したが、移動部材はこれに限定されず、後端部が前後移動して制動部材の制動面に接触するものであればどのような形態でもよい。
（ｃ）  前記実施形態では、規制部材８０は、第１ロータアーム３１に着脱可能に別体で設けられていたが、第１ロータアーム３１と一体的に形成し、第１ロータアーム３１に規制案内部８０ａ及び係止凹部８０ｂを設けた構成にしてもよい。
【００５７】
【発明の効果】
本発明によれば、スピニングリールのベール反転装置において、ベールアームが糸開放姿勢に揺動したとき、規制案内部より径方向内側に凹んで形成された係止凹部にトグルばね機構の先端が係止されるので、ベールアームが糸開放姿勢から糸巻き取り姿勢に自動的に戻るのを防止できる。
【図面の簡単な説明】
【図１】本発明の一実施形態を採用したスピニングリールの左側面図。
【図２】前記スピニングリールの左側面断面図。
【図３】第１ロータアームの平面図。
【図４】前記第１ロータアームの断面拡大図。
【図５】ベール反転機構を示すリールボディの正面図。
【図６】前記ベール反転機構を示す前記リールボディの底面部分図。
【図７】第１ベール支持部材の部品図。
【図８】図７のＶＩＩＩ−ＶＩＩＩ断面図。
【図９】ベールアームの揺動時の規制状態の変化を示す模式図。
【図１０】規制部材周辺の拡大平面図。
【符号の説明】
２  リール本体
３  ロータ
１５  スプール軸
１７  ベールアーム
１８  ベール反転機構
４０ａ  係止溝部
５０  トグルばね機構
５１  移動部材
５１ａ  先端部
５１ｂ  中間部
５１ｃ  後端部
５２  切り換え部材
５５  ロッド
５５ａ  係止部
５７  コイルばね
６０ａ、６０ｂ  傾斜面
６０ｃ  突出端
６５  制動部材
６５ａ  制動面
７５、８５、９５  規制機構
７６、８６  規制ピン
７７、８７  コイルばね
７８、８８  押圧部
８０  規制部材
８０ａ  規制案内部
８０ｂ  係止凹部
９６  弾性部材
９７  接触部
【図１】
2004313078.tif 000003
【図２】
2004313078.tif 000004
【図３】
2004313078.tif 000005
【図４】
2004313078.tif 000006
【図５】
2004313078.tif 000007
【図６】
2004313078.tif 000008
【図７】
2004313078.tif 000009
【図８】
2004313078.tif 000010
【図９】
2004313078.tif 000011
【図１０】
2004313078.tif 000012